(57)【特許請求の範囲】
【請求項１】
回動基部及び該回動基部と断面Ｌ字状をなすように下端に配置した引掛突部を有する連動金具を形成し，該連動金具の回動基部を召合部における戸体一方の召合框見付面に回動自在に軸支固定するとともにその引掛突部を戸体他方の召合框の該戸体面内側における見込面又はこれに設置した面内側突起部に引掛自在としてなることを特徴とする引戸の開閉連動装置。
【請求項２】
上記連動金具の回動基部を，戸体双方の召合框間に配置するプレートによって形成し且つ下端の引掛突部を該プレートに固定したブロックによって形成してなることを特徴とする請求項１に記載の引戸の開閉連動装置。
【発明の詳細な説明】
【技術分野】
【０００１】
本発明は，例えば広い間口を有するサンルーム，公共施設等に設置されたサッシ，網戸，ショーケースにおける引戸のように，複数の軌条に配置した多数の引戸を連動開閉するに用いる引戸の連動開閉装置に関する。
【背景技術】
【０００２】
多数の引戸を有するものとして，例えば２条の軌条に２の倍数枚をなす多数の戸体を千鳥状に配置して引違開閉自在としたもの，３条の軌条に３の倍数枚をなす多数の戸体を雁行状に配置して引違開閉自在としたもの等があり，例えば倍数枚毎に合掌框を突合せて合掌部を形成し，また倍数枚内においては各召合框を内外に重合して内拝み又は外拝みの召合部を形成するように配置するものとし，その開閉に当っては，それぞれの戸体を開方向に押圧し又は閉方向に引寄せすることによって，これを行うものとしてある。
【０００３】
【特許文献１】特開平７−３２４５５４号公報
【発明の開示】
【発明が解決しようとする課題】
【０００４】
しかし乍らこの場合，各戸体はそれぞれ独立して開閉するものとされるところ，一方から２乃至３の倍数枚の戸体を押すようにすれば，軌条にある戸体を順次開方向に移動して開成することができるが，内側に別の戸体，例えばサッシ戸が位置する網戸のような戸体にあっては，内側の戸体も同時に開成する必要が生じる一方，戸体を閉成するには各戸体の前でこれをそれぞれ閉方向に移動する順次の作業を必要とし，例えば２枚の戸体による単純な引戸であれば別としても，上記２の倍数枚の４枚，３の倍数枚の６枚といったように多数の戸体を備えた多数枚の引戸にあっては，その開閉作業が煩雑化する傾向を招き易い。
【０００５】
本発明はかかる事情に鑑みてなされたもので，その解決課題とするところは，上記多数枚の引戸の戸体開閉を可及的に簡易化し得るようにした引戸の開閉連動装置を提供するにある。
【課題を解決するための手段】
【０００６】
上記課題に沿って本発明は，引戸の召合部に連動金具を設置し，この連動金具を設置した側の戸体を開方向又は閉方向に移動することによって，連動金具が該戸体と引違い関係にある他の戸体における面内側の見付面又はこれに代る突起部に引掛係合して該戸体を開方向及び／又は閉方向に連動して移動し得るようにしたものであって，即ち請求項１に記載の発明は，回動基部及び該回動基部と断面Ｌ字状をなすように下端に配置した引掛突部を有する連動金具を形成し，該連動金具の回動基部を召合部における戸体一方の召合框見付面に回動自在に軸支固定するとともにその引掛突部を戸体他方の召合框の該戸体面内側における見込面又はこれに設置した面内側突起部に引掛自在としてなることを特徴とする引戸の開閉連動装置としたものである。
【０００７】
請求項２に記載の発明は，上記に加えて，上記召合部において召合框間に位置する連動金具の回動基部が召合框に接触する等することなく，その回動をスムーズ且つ確実になし得るものとする一方，引掛突部が連動移動する戸体荷重によって変形したりすることなく，その連動移動を安定且つ確実になし得るものとするように，これを，上記連動金具の回動基部を，戸体双方の召合框間に配置するプレートによって形成し且つ下端の引掛突部を該プレートに固定したブロックによって形成してなることを特徴とする請求項１に記載の引戸の開閉連動装置としたものである。
【０００８】
本発明はこれらをそれぞれ発明の要旨として上記課題解決の手段としたものである。
【発明の効果】
【０００９】
本発明は以上のとおりに構成したから，請求項１に記載の発明は，引戸の召合部に連動金具を配置し，この連動金具を設置した側の戸体を開方向又は閉方向に移動することによって，連動金具が該戸体と引違い関係にある他の戸体の面内側の見付面又はこれに代る突起部に引掛係合して該戸体を開方向及び／又は閉方向に連動して移動し得るようにした引戸の開閉連動装置を提供することができる。
【００１０】
請求項２に記載の発明は，上記に加えて，上記召合部において召合框間に位置する連動金具の回動基部が召合框に接触する等することなく，その回動をスムーズ且つ確実になし得るものとする一方，引掛突部が連動移動する戸体荷重によって変形したりすることなく，その連動移動を安定且つ確実になし得るものとすることができる。
【発明を実施するための最良の形態】
【００１１】
以下図面の例に従って本発明を更に具体的に説明すれば，１は連動金具，２は該連動金具によって連動開閉するようにした戸体であり，連動金具１は，回動基部１１及び該回動基部１１と断面Ｌ字状をなすように下端に配置した引掛突部１４を有するものとし，該連動金具１による戸体２の連動開閉は，該連動金具１の回動基部１１を召合部における戸体一方の召合框２１見付面に回動自在に軸支固定するとともにその引掛突部１４を戸体他方の召合框２１の該戸体２面内側における見込面又はこれに設置した面内突起部に引掛自在として行うようにしてある。
【００１２】
連動金具１は，例えば，その回動基部１１を，戸体２双方の召合框２１間に配置するプレートによって形成し且つ下端の引掛突部１４を該プレートに固定したブロックによって形成したものとしてあり，このとき本例のプレートによる回動基部１１は，ステンレス，アルミ等の金属製にして適宜形状をなし召合框２１間の空隙に余裕をもって納まる厚さの板材によって形成してあり，本例にあって該回動基部１１のプレートは，その横幅を，戸体２の召合框２１の横幅より幅狭の２ｃｍ程度，高さを４ｃｍ程度，厚さを，召合框２１間の空隙に容易に納まるように１ｍｍ程度又はこれより薄肉とした矩形板状のもの，本例にあってはその上端を湾曲した矩形板状のものとしてある。
【００１３】
該プレートによる回動基部１１は，その面内上部に軸支用の透孔１２を透設し，その面内下部に隆起Ｕ字部を配置するとともにその中央にブロック固定用の透孔１３を透設したものとし，該透孔１３に，例えば合成樹脂製とした上記ブロックを金具１６固定し，該ブロックによって上記回動基部１１と断面Ｌ字状をなすように交差突設した引掛突部１４を形成したものとしてある。
【００１４】
本例にあって該ブロックは，例えばナイロン系樹脂を一体に成形した正面矩形の中実状にして下端を除く外周にＶ字状突条を配置した，横幅を上記回動基部１１のプレートよりやや大きい２．５ｃｍ程度，高さを該プレートの１／３程度の１．５ｃｍ程度，プレートからの突出幅を同じく１．５ｃｍ程度とした矩形ブロックとし，その面内に上記隆起Ｕ字部を被嵌する凹部と，該凹部からブロックを縦断するように透設し，例えば奥行方向の中間に段差部を配置し，回動基部１１側を小径とした中間で異径とする金具孔１５を透設したものとしてあり，該ブロックの上記金具１６固定による引掛突部１４の形成は，該金具１６をリベットとし，ブロックの凹部にプレートの隆起Ｕ字部を被嵌して双方の透孔１３位置を合わせるようにブロックを回動基部１１のプレートに対接し，該プレートにおけるブロック固定用の透孔１３からブロックの金具孔１５にリベットを挿入し，その頭部を該金具孔１５の上記中間の段差部に引掛係止するとともに該リベットのフランジを上記プレートの隆起Ｕ字部に収納するようにリベット固定によって，これを行ってある。
【００１５】
このように形成した連動金具１は，その回動基部１１を，召合部における戸体２一方の召合框２１見付面に回動自在に軸支固定することによってこれを行うものとしてあり，本例にあって戸体２を網戸とした図７記載の引違戸の例に従って説明すると，該網戸の戸体２は，例えばサンルームにおける長尺間口の開口に配置しその室内側に突出するように蛇腹状乃至重畳状に折畳み開閉自在とした図示省略の折畳み戸の室外側に設置してあり，本例にあって該網戸は，例えば２条の軌条に幅方向一方の片側から他方の片側に対して，上記長尺間口に合わせて２の倍数枚による多数の戸体を内外交互にそれぞれ召合部を形成するように順次配置することによって上記折畳み戸の開成時にサンルームの開口における防虫の通気をなし得るようにしてある。
【００１６】
このとき連動金具１は，例えば上記２条のうち室内側及び室外側の双方の所定位置に位置する召合框２１間一方の召合框２１見付面にそのプレートによる回動基部１１を回動自在に軸支固定して，他方の召合框２１における面内側の見込面又は面内突起部に，本例にあっては該見込面に設置したネット固定突起部２２にそのブロックによる引掛突部１４を引掛係止するように配置して連動開閉を行うようにしてある。
【００１７】
即ち上記内外交互にそれぞれ召合部を形成するように配置した本例の網戸にあって上記連動金具１の配置は，室内側及び室外側の戸体における各一方の召合框２１にその回動基部１１を軸支固定して配置することによって他方の召合框２１を閉方向に引寄せ自在とするように該召合框２１に引掛係止してあり，本例にあって室内側に位置する網戸の戸体２にあっては，その一方端部側の戸体２を，主に開閉操作を行う開閉基準戸体とし，その非戸当り側単一箇所の召合部における開方向先端側の召合框，即ち室外側からの正面視左側の召合框２１，これに続く室内側２枚目以降の戸体２の同じく開方向先端側，即ち同じく室外側からの正面視左側の召合框２１に，また室外側に位置する網戸の戸体２にあっては，各開方向後端側，即ち室外側からの正面視右側の召合框２１に，それぞれ召合框２１間の見付面，即ち室内側に位置する戸体２にあってはその室外側の見付面，室外側に位置する戸体２にあってはその室内側の見付面の幅方向中間に回動基部１１を金具２３固定することによって行ってあり，該金具２３固定は，例えば同様に該金具２３をリベットとし，該リベットを回動基部１１における軸支用の透孔１２から，戸体２の該見付面に透設した透孔に挿入し，その頭部を該透孔周縁の見付面裏面に引掛係止するとともに該リベットのフランジを回動基部１１の外側に位置するようにしてリベット固定によって行ってある。
【００１８】
このとき，それぞれ室内側及び室外側一方の戸体２における所定位置の召合框２１に回動基部１１を軸支固定した連動金具１は，該連動金具１のブロックによる引掛突部１４が，室外側及び室内側他方の戸体２の召合框２１より面内側に位置するように半回動した片側跳ね上げ状態でその軸支固定を行うことによって該連動金具１の引掛突部１４が，該他方の戸体２の召合框２１の見込面又はこれに設置した面内突起部，本例にあっては上記ネット固定突起２３に引掛自在とするものとしてある。即ち該連動金具１の上記軸支固定を，該引掛突部１４が，該他方の戸体２の左右縦框，即ち左右の召合框２１間に位置するように行うことによって，戸体２を閉成して召合框２１を重合して召合部とした状態で該引掛突部１４は上記ネット固定突起２３に引掛自在とすることができる。
【００１９】
このように設置した連動金具１による戸体２の開閉は，主に開閉操作を行う室内側一方端部側の上記開閉基準戸体２ａを，これに続く室外側の戸体２を含めて室内側から順次押圧すれば，該開閉基準戸体２ａの連動金具１の引掛突起１４は，これが引掛係止している室外側戸体の召合框２１から外れ，その自重によって回動して開閉基準戸体２ａの召合框２１に垂直状態となり，更に該開閉基準戸体２ａを押圧すると，該連動金具１が室外側戸体２の他方の召合框２１に当って上記と逆側に回動して該他方の召合框２１の，本例にあってはネット固定突起２３に対接し該召合框２１に引掛係合してこれを押圧する結果，該室外側戸体２を連動開成し，また該室外側戸体２に設置した連動金具１も同様に室内側戸体２の召合框２１から外れて垂直状態となるとともに該連動金具１がその室内側戸体２の他方の召合框２１に至って同様に該召合框２１に当って該召合框２１に引掛係合してこれを押圧して，同じく該室内側戸体２を連動開成し，順次これを繰り返すことにより，上記開閉基準戸体２ａの押圧のみによって全ての戸体２を連動して開成することができる。一方，該開成状態にある網戸の閉成は，開成して室内側他方端部側に位置する上記開閉基準戸体２ａを閉方向に引けば，その連動金具１が垂直状態に回動した上，室外側戸体２の召合框２１に対接し該召合框２１に引掛係合してこれを引寄せる結果，該室外側戸体２を連動閉成し，また該室外側戸体２に設置した連動金具１も同様に室内側戸体２の召合框２１から外れて同様にその室内側戸体２の他方の召合框２１に当って該召合框２１に引掛係合してこれを引寄せ，同じく該室内側戸体２を連動閉成し，順次これを繰り返すことにより，上記開閉基準戸体２ａの引寄せのみによって全ての戸体２を連動して閉成することが可能となる。
【００２０】
また図８に記載の例は，同じく戸体２を網戸とした引戸の例であって，本例にあって該網戸の戸体２は，例えば戸体数に応じた３条，４条といった多数の軌条に同じく幅方向一方の片側から他方の片側に対して内外方向にそれぞれ召合部を形成するように雁行状に順次配置してあり，このとき連動金具１は，各召合部において室内側及び室外側の召合框２１間一方の召合框２１見付面にそのプレートによる回動基部１１を同様に回動自在に軸支固定して，他方の召合框２１における面内側の見込面又は面内突起部，即ち同じく該見込面に設置したネット固定突起部２２にそのブロックによる引掛突部１４を引掛係止するように配置してその連動開閉を行うようにした例である。本例にあっては，開閉基準戸体２ａを，これに続く室外側の戸体２を含めて室内側から順次押圧すれば，同じく連動金具１の引掛突起１４は各室外側戸体の召合框２１から外れて全ての戸体２を開成することができ，また開成状態にある網戸の閉成は，同じく上記開閉基準戸体２ａを閉方向に引けば，連動金具１が垂直状態に回動した上，室外側戸体２の召合框２１に対接し同様に該召合框２１に引掛係合してこれを引寄せる結果，室外側戸体２を連動閉成するから，順次これを繰り返すことにより，同様に上記開閉基準戸体２ａの引寄せのみによって全ての戸体２を連動して閉成することが可能となる。その余は上記例と同様であるのでその重複する説明を省略する。
【００２１】
従ってこれら図７及び図８の例にあっては，回動基部１１と引掛突部１４を断面Ｌ字状に配置した比較的単純構造の連動金具１を用いることによって，上記長尺の間口に設置した多数枚の引戸の戸体２開閉を，単にその開閉基準戸体２ａを押圧乃至引寄せする可及的簡易な操作によって確実に連動して行うようにした開閉連動装置を形成することができる。また上記連動金具１の回動基部１１をプレートによって，引掛基部１４をブロックによって形成したから，召合部において召合框２１間に位置する回動基部１１が召合框２１の見付面に接触する等することなく，その回動をスムーズ且つ確実になし得るものとする一方，引掛突部１４が連動移動する戸体２荷重によって変形したりすることなく，その連動移動を安定且つ確実になし得るものとすることができ，このときブロックを合成樹脂製としたから，引掛突部１４の召合框２１への対接時の衝撃を緩和して戸体に衝撃傷の発生を防止するとともに衝接時の騒音発生を防止することができる。
【００２２】
図中２４は，連動金具１の回動を容易化するように召合框２１と回動基部１１間及び該回動基部１１とリベットのフランジ間にそれぞれ介装したワッシャーを示す。
【００２３】
図示した例は以上のとおりとしたが，上記図８の戸体を雁行状に配置した例において，例えばその配置を３枚毎の中間で合掌部を形成するようにすれば，閉成時に合掌部の戸体を引寄せする必要が生じるも，それぞれ室内側と中間，中間と室外側，室外側と中間，中間と室内側の各戸体毎に上記と同様の連動金具の引掛係止によって可及的簡易に連動開成及び連動閉成を行うものとすることができる。また連動金具を，例えば断面Ｌ字状をなすようにステンレス，アルミ等によって一体に形成した金属製のものとすること，連動金具における引掛突部の引掛係合を，例えばサッシ戸における召合框のガラス面に至る見付面とし，また戸体の面内方向に該見付面から突設した，上記ネット固定突起以外の面内突起部とすること等を含めて，本発明の実施に当って，連動金具，その回動基部，引掛突部，連動金具を設置する戸体，その召合框等の各具体的形状，構造，材質，これらの関係，これらに対する付加等は，上記発明の要旨に反しない限り様々な形態のものとすることができる。
【図面の簡単な説明】
【００２４】
【図１】連動金具を召合框に垂直に設置した状態を示す正面図である。
【図２】連動金具と召合框の関係を示す横断面図である。
【図３】連動金具の正面図である。
【図４】連動金具の側面図である。
【図５】連動金具の背面図である。
【図６】連動金具の取付状態を示す引掛突部を持ち上げた状態の横断面図である。
【図７】多数の戸体に対する連動金具の配置関係を示す戸体配置図である。
【図８】多数の戸体に対する連動金具の配置関係を示す他の例の戸体配置図である。
【符号の説明】
【００２５】
１  連動金具
１１  回動基部（プレート）
１２  透孔
１３  透孔
１４  引掛突部（ブロック）
１５  金具孔
１６  リベット
２  戸体
２ａ  開閉基準戸体
２１  召合框
２２  ネット固定突起
２３  リベット
２４  ワッシャー
【図１】
0004781838.tif 000002
【図２】
0004781838.tif 000003
【図３】
0004781838.tif 000004
【図４】
0004781838.tif 000005
【図５】
0004781838.tif 000006
【図６】
0004781838.tif 000007
【図７】
0004781838.tif 000008
【図８】
0004781838.tif 000009